(57)【要約】【課題】ＩＳＲが適用されている移動通信システムにおいて、ベアラの起動や修正や削除が行われた場合であっても、不要な位置登録を抑制する。【解決手段】本発明に係る移動通信方法は、移動局ＵＥが、ＷＣＤＭＡ方式の交換局ＳＧＳＮ及びＬＴＥ方式の交換局ＭＭＥに位置登録している状態で、ＷＣＤＭＡ方式の移動通信システム配下のセルにおいて、ベアラ状態を変更した場合に、ＷＣＤＭＡ方式の交換局ＳＧＳＮとＬＴＥ方式の交換局ＭＭＥとの間で移動局ＵＥのベアラ状態について同期処理を行う工程と、ＷＣＤＭＡ方式の交換局ＳＧＳＮが、移動局ＵＥに対して、同期処理を行った旨を通知する工程とを有し、移動局ＵＥは、ベアラ状態を変更した場合であっても、上述の通知を受信した場合には、ＷＣＤＭＡ方式の移動通信システム配下のセルからＬＴＥ方式の移動通信システム配下のセルに移動した際に、ＬＴＥ方式の交換局ＭＭＥに位置登録しない。【選択図】図４
2010045551.tif 000002
【特許請求の範囲】
【請求項１】
移動局が、第１通信方式の交換局及び第２通信方式の交換局に位置登録している状態で、該第１通信方式の移動通信システム配下のセルにおいて、ベアラ状態を変更した場合に、該第１通信方式の交換局と該第２通信方式の交換局との間で、該移動局のベアラ状態について同期処理を行う工程Ａと、
前記第１通信方式の交換局が、前記移動局に対して、前記同期処理を行った旨を通知する工程Ｂとを有し、
前記移動局は、前記ベアラ状態を変更した場合であっても、前記通知を受信した場合には、前記第１通信方式の移動通信システム配下のセルから前記第２通信方式の移動通信システム配下のセルに移動した際に、該第２通信方式の交換局に位置登録しないことを特徴とする移動通信方法。
【請求項２】
前記移動局が、前記第２通信方式の交換局に位置登録する必要の有無を示す位置登録状態を管理する工程と、
前記移動局が、前記第２通信方式の移動通信システム配下のセルに移動した際に、前記位置登録状態に応じて、該第２通信方式の交換局に位置登録すべきであるか否かについて判断する工程とを更に有し、
前記移動局が、前記ベアラ状態を変更した場合であっても、前記通知を受信した場合には、前記位置登録状態に、前記第２通信方式の交換局に位置登録する必要があると設定しないことを特徴とする請求項１に記載の移動通信方法。
【請求項３】
前記工程Ａにおいて、前記移動局が、前記ベアラ状態を変更して、ベアラの本数が０本になった場合には、前記同期処理が行われないことを特徴とする請求項１に記載の移動通信方法。
【請求項４】
第１通信方式の交換局であって、
移動局が、前記第１通信方式の交換局及び第２通信方式の交換局に位置登録している状態で、該第１通信方式の移動通信システム配下のセルにおいて、ベアラ状態を変更した場合に、該第２通信方式の交換局との間で、該移動局のベアラ状態について同期処理を行うように構成されている同期処理部と、
前記移動局に対して、前記同期処理を行った旨を通知するように構成されている通知部とを具備することを特徴とする交換局。
【請求項５】
前記同期処理部は、前記移動局が、前記ベアラ状態を変更して、ベアラの本数が０本になった場合には、前記同期処理を行わないように構成されていることを特徴とする請求項４に記載の交換局。
【請求項６】
第１通信方式の交換局及び第２通信方式の交換局に位置登録している状態で、該第１通信方式の移動通信システム配下のセルにおいて、ベアラ状態を変更した場合であっても、該第１通信方式の交換局から、該第２通信方式の交換局との間で前記ベアラ状態について同期処理が行われた旨を示す通知を受信した場合には、該第１通信方式の移動通信システム配下のセルから該第２通信方式の移動通信システム配下のセルに移動した際に、該第２通信方式の交換局に位置登録しないように構成されている位置登録処理部を具備することを特徴とする移動局。
【請求項７】
前記第２通信方式の交換局に位置登録する必要の有無を示す位置登録状態を管理するように構成されている位置登録状態管理部を更に具備し、
前記位置登録処理部は、前記第２通信方式の移動通信システム配下のセルに移動した際に、前記位置登録状態に応じて、該第２通信方式の交換局に位置登録すべきであるか否かについて判断するように構成されており、
前記位置登録状態管理部は、前記ベアラ状態を変更した場合であっても、前記通知を受信した場合には、前記位置登録状態に、前記第２通信方式の交換局に位置登録する必要があると設定しないように構成されていることを特徴とする請求項６に記載の移動局。
【発明の詳細な説明】
【技術分野】
【０００１】
本発明は、移動通信方法、交換局及び移動局に関する。
【背景技術】
【０００２】
３ＧＰＰで規定されている「Ｅ-ＵＴＲＡＮ（Ｅｖｏｌｖｅｄ-Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＥＰＣ（Ｅｖｏｌｖｅｄ  Ｐａｃｋｅｔ  Ｃｏｒｅ）」方式の移動通信システムでは、無駄な位置登録信号の送信を低減するために、「ＩＳＲ（Ｉｄｌｅ  ｓｔａｔｅ  Ｓｉｇｎａｌｉｎｇ  Ｒｅｄｕｃｔｉｏｎ）」と呼ばれる技術が適用可能である。
【０００３】
図９を参照して、ＩＳＲが適用されている移動通信システムの動作について説明する。
【０００４】
図９に示すように、状態（Ａ）において、移動局ＵＥは、ＷＣＤＭＡ方式の移動通信システム配下のセル（ＲＡ＃１内のセル）において、ＷＣＤＭＡ方式の交換局ＳＧＳＮに位置登録し、ＷＣＤＭＡ方式の交換局ＳＧＳＮ及びゲートウェイ装置Ｓ-ＧＷを介してベアラを設定する。
【０００５】
かかる場合、移動局ＵＥが、ＷＣＤＭＡ方式の移動通信システム用の位置登録状態Ｗを、ＷＣＤＭＡ方式の交換局ＳＧＳＮに位置登録する必要が無いことを示す「Ｕｐｄａｔｅｄ」となるように設定し、移動局ＵＥ、ＷＣＤＭＡ方式の交換局ＳＧＳＮ及びゲートウェイ装置Ｓ-ＧＷが、ベアラ状態Ｂを、同一となるように設定するものとする。
【０００６】
状態（Ｂ）において、移動局ＵＥは、ＬＴＥ方式の移動通信システム配下のセル（ＴＡ＃１内のセル）に移動し、ＬＴＥ方式の交換局ＭＭＥに位置登録する。ここで、ＬＴＥ方式の交換局ＭＭＥは、かかる位置登録に応じて、ＷＣＤＭＡ方式の交換局ＳＧＳＮとの間で、ベアラ状態Ｂについての同期処理を行う。
【０００７】
この結果、移動局ＵＥが、ＬＴＥ方式の移動通信システム用の位置登録状態Ｌを、ＬＴＥ方式の交換局ＭＭＥに位置登録する必要が無いことを示す「Ｕｐｄａｔｅｄ」となるように設定する。
【０００８】
また、移動局ＵＥとＷＣＤＭＡ方式の交換局ＳＧＳＮとＬＴＥ方式の交換局ＭＭＥとゲートウェイ装置Ｓ-ＧＷとの間で、同一のベアラ状態Ｂが管理されるようになる。
【０００９】
状態（Ｃ）において、移動局ＵＥは、ＷＣＤＭＡ方式の移動通信システム配下のセル（ＲＡ＃１内のセル）に移動した場合であっても、ＷＣＤＭＡ方式の移動通信システム用の位置登録状態Ｗが「Ｕｐｄａｔｅ」であるため、移動局ＵＥは、ＷＣＤＭＡ方式の交換局ＳＧＳＮに位置登録する必要は無い。
【００１０】
同様に、状態（Ｄ）において、移動局ＵＥは、ＬＴＥ方式の移動通信システム配下のセル（ＴＡ＃２内のセル）に移動した場合であっても、ＬＴＥ方式の移動通信システム用の位置登録状態Ｌが「Ｕｐｄａｔｅ」であるため、移動局ＵＥは、ＬＴＥ式の交換局ＭＭＥに位置登録する必要は無い。
【非特許文献１】３ＧＰＰ  ＴＳ２３.４０１
【発明の開示】
【発明が解決しようとする課題】
【００１１】
しかしながら、従来のＩＳＲが適用されている移動通信システムでは、図８に示すように、移動局ＵＥとＷＣＤＭＡ方式の交換局ＳＧＳＮとＬＴＥ方式の交換局ＭＭＥとゲートウェイ装置Ｓ-ＧＷとの間で、同一のベアラ状態Ｂが管理されている、すなわち、ベアラ状態Ｂが同期されている場合に、移動局ＵＥが、ＷＣＤＭＡ方式の移動通信システム配下のセル（ＲＡ＃１内のセル）において、ベアラの起動や修正や削除を行うと、移動局ＵＥ、ＷＣＤＭＡ方式の交換局ＳＧＳＮ及びゲートウェイ装置Ｓ-ＧＷにおけるベアラ状態Ｂは「＃ａ」から「＃ｂ」に変更されるが、ＬＴＥ方式の交換局ＭＭＥにおけるベアラ状態Ｂは「＃ａ」のままとなり、ベアラ状態が非同期になる。
【００１２】
かかる場合、移動局ＵＥは、ＬＴＥ方式の移動通信システム用の位置登録状態Ｌを、ＬＴＥ方式の交換局ＭＭＥに位置登録する必要があることを示す「Ｕｐｄａｔｅ  ｎｅｅｄｅｄ」となるように設定する。
【００１３】
その後、移動局ＵＥは、図９に示すように、移動局ＵＥは、ＬＴＥ方式の移動通信システム配下のセル（ＴＡ＃１内のセル）に移動した場合、ＬＴＥ方式の移動通信システム用の位置登録状態Ｌが「Ｕｐｄａｔｅ  ｎｅｅｄｅｄ」であるため、移動局ＵＥは、ＬＴＥ方式の交換局ＭＭＥに位置登録する。ここで、ＬＴＥ方式の交換局ＭＭＥは、かかる位置登録に応じて、ＷＣＤＭＡ方式の交換局ＳＧＳＮとの間で、ベアラ状態Ｂについての同期処理を行う。
【００１４】
このように、従来のＩＳＲが適用されている移動通信システムでは、ベアラの起動や修正や削除が行われた場合には、ＩＳＲによる位置登録信号の削減効果が無くなり、接続先の移動通信システムを切り替える際に接続遅延が発生するという問題点があった。
【００１５】
そこで、本発明は、上述の課題に鑑みてなされたものであり、ＩＳＲが適用されている移動通信システムにおいて、ベアラの起動や修正や削除が行われた場合であっても、不要な位置登録を抑制することができる移動通信方法、交換局及び移動局を提供することを目的とする。
【課題を解決するための手段】
【００１６】
本発明の第１の特徴は、移動通信方法であって、移動局が、第１通信方式の交換局及び第２通信方式の交換局に位置登録している状態で、該第１通信方式の移動通信システム配下のセルにおいて、ベアラ状態を変更した場合に、該第１通信方式の交換局と該第２通信方式の交換局との間で、該移動局のベアラ状態について同期処理を行う工程Ａと、前記第１通信方式の交換局が、前記移動局に対して、前記同期処理を行った旨を通知する工程Ｂとを有し、前記移動局は、前記ベアラ状態を変更した場合であっても、前記通知を受信した場合には、前記第１通信方式の移動通信システム配下のセルから前記第２通信方式の移動通信システム配下のセルに移動した際に、該第２通信方式の交換局に位置登録しないことを要旨とする。
【００１７】
本発明の第２の特徴は、第１通信方式の交換局であって、移動局が、前記第１通信方式の交換局及び第２通信方式の交換局に位置登録している状態で、該第１通信方式の移動通信システム配下のセルにおいて、ベアラ状態を変更した場合に、該第２通信方式の交換局との間で、該移動局のベアラ状態について同期処理を行うように構成されている同期処理部と、前記移動局に対して、前記同期処理を行った旨を通知するように構成されている通知部とを具備することを要旨とする。
【００１８】
本発明の第３の特徴は、移動局であって、第１通信方式の交換局及び第２通信方式の交換局に位置登録している状態で、該第１通信方式の移動通信システム配下のセルにおいて、ベアラ状態を変更した場合であっても、該第１通信方式の交換局から、該第２通信方式の交換局との間で前記ベアラ状態について同期処理が行われた旨を示す通知を受信した場合には、該第１通信方式の移動通信システム配下のセルから該第２通信方式の移動通信システム配下のセルに移動した際に、該第２通信方式の交換局に位置登録しないように構成されている位置登録処理部を具備することを要旨とする。
【発明の効果】
【００１９】
以上説明したように、本発明によれば、ＩＳＲが適用されている移動通信システムにおいて、ベアラの起動や修正や削除が行われた場合であっても、不要な位置登録を抑制することができる移動通信方法、交換局及び移動局を提供することができる。
【発明を実施するための最良の形態】
【００２０】
（本発明の第１の実施形態に係る移動通信システムの構成）
図１乃至３を参照して、本発明の第１の実施形態に係る移動通信システムの構成について説明する。
【００２１】
図１に示すように、ゲートウェイ装置Ｐ-ＧＷ（ＰＤＮ-Ｇａｔｅｗａｙ）と、ゲートウェイ装置Ｓ-ＧＷ（Ｓｅｒｖｉｎｇ-Ｇａｔｅｗａｙ）と、ＷＣＤＭＡ方式の交換局ＳＧＳＮと、ＬＴＥ方式の交換局ＭＭＥとを具備している。
【００２２】
なお、説明の便宜上、本明細書では、「ＷＣＤＭＡ方式」を「第１通信方式」とし、「ＬＴＥ方式」を「第２通信方式」としたケースについて説明するが、本発明は、かかるケースに限定されるものではない。
【００２３】
例えば、本発明は、「ＷＣＤＭＡ方式」を「第２通信方式」とし、「ＬＴＥ方式」を「第１通信方式」としたケースにも適用可能であるし、「第１通信方式」及び「第２通信方式」を、その他の通信方式としてケースについても適用可能である。
【００２４】
また、図１の例では、移動局ＵＥは、ＷＣＤＭＡ方式の移動通信システム配下のセル（ＲＡ＃１内のセル）に在圏しており、また、ＷＣＤＭＡ方式の交換局ＳＧＳＮ及びＬＴＥ方式の交換局ＭＭＥに位置登録しているものとする。
【００２５】
また、移動局ＵＥとＷＣＤＭＡ方式の交換局ＳＧＳＮとＬＴＥ方式の交換局ＭＭＥとゲートウェイ装置Ｓ-ＧＷとの間で、同一のベアラ状態Ｂ（＃ａ）が管理されている、すなわち、ベアラ状態Ｂが同期されているものとする。
【００２６】
さらに、移動局ＵＥにおいて、ＷＣＤＭＡ方式の移動通信システム用の位置登録状態Ｗ及びにＬＴＥ方式の移動通信システム用の位置登録状態Ｌは、「Ｕｐｄａｔｅｄ」と設定されているものとする。
【００２７】
図２に示すように、ＷＣＤＭＡ方式の交換局ＳＧＳＮ及びＬＴＥ方式の交換局ＭＭＥは、ベアラ制御部１１と、ベアラ状態管理部１２と、同期処理部１３と、通知部１４とを具備している。
【００２８】
ベアラ制御部１１は、ベアラの起動や修正や削除等の制御を行うように構成されている。ここで、ベアラは、移動局ＵＥと特定接続先ＡＰＮとの間でパケット通信を行うためのコネクションを示す。
【００２９】
具体的には、ベアラ制御部１１は、各移動局ＵＥからの要求に応じて、ベアラが設定されていない状態において、新たなベアラを設定（起動）するように構成されていてもよいし、既に設定されているベアラを切断（削除）するように構成されていてもよいし、既に設定されているベアラの接続状態を変更（修正）するように構成されている。
【００３０】
ベアラ状態管理部１２は、各移動局ＵＥのベアラ状態Ｂを管理するように構成されている。例えば、ベアラ状態管理部１２は、各移動局ＵＥのベアラ状態Ｂとして、各ベアラに関して、各移動局ＵＥに割り当てられているＩＰアドレスや、接続先ＡＰＮや、ＱＯＳや、経由するゲートウェイ装置について管理している。また、ベアラ状態管理部１２は、ベアラ状態Ｂとして、移動局ＵＥにおいて設定されているベアラの本数について管理していてもよい。
【００３１】
同期処理部１３は、移動局ＵＥが、ＷＣＤＭＡ方式の交換局ＳＧＳＮ及びＬＴＥ方式の交換局ＭＭＥに位置登録している状態で、ＷＣＤＭＡ方式の移動通信システム配下のセル（ＲＡ＃１内のセル）において、ベアラ状態Ｂを変更した場合に、ＬＴＥ方式の交換局ＭＭＥとの間で、移動局ＵＥのベアラ状態Ｂについて同期処理を行うように構成されている。
【００３２】
なお、同期処理部１３は、移動局ＵＥが、ベアラ状態Ｂを変更して、ベアラの本数が０本になった場合には、上述の同期処理を行わないように構成されていてもよい。
【００３３】
また、同期処理部１３は、移動局ＵＥからの位置登録信号を受信した場合に、上述の同期処理を行うように構成されている。
【００３４】
通知部１４は、移動局ＵＥに対して、上述の同期処理を行った旨を通知するように構成されている。
【００３５】
図３に示すように、移動局ＵＥは、ベアラ状態管理部２１と、位置登録状態管理部２２と、ベアラ制御部２３と、位置登録処理部２４とを具備している。
【００３６】
ベアラ状態管理部２１は、当該移動局ＵＥのベアラ状態Ｂを管理するように構成されている。
【００３７】
位置登録状態管理部２２は、ＷＣＤＭＡ方式の交換局ＳＧＳＮに位置登録する必要の有無を示すＷＣＤＭＡ方式の移動通信システム用の位置登録状態Ｗ、及び、ＬＴＥ方式の交換局ＭＭＥに位置登録する必要の有無を示すＬＴＥ方式の移動通信システム用の位置登録状態Ｌを管理するように構成されている。
【００３８】
具体的には、位置登録状態管理部２２は、ＷＣＤＭＡ方式の交換局ＳＧＳＮに位置登録する必要がある場合には、ＷＣＤＭＡ方式の移動通信システム用の位置登録状態Ｗに「Ｕｐｄａｔｅ  ｎｅｅｄｅｄ」を設定し、ＷＣＤＭＡ方式の交換局ＳＧＳＮに位置登録する必要が無い場合には、ＷＣＤＭＡ方式の移動通信システム用の位置登録状態Ｗに「Ｕｐｄａｔｅｄ」を設定する。
【００３９】
同様に、位置登録状態管理部２２は、ＬＴＥ方式の交換局ＭＭＥに位置登録する必要がある場合には、ＬＴＥ方式の移動通信システム用の位置登録状態Ｌに「Ｕｐｄａｔｅ  ｎｅｅｄｅｄ」を設定し、ＬＴＥ方式の交換局ＭＭＥに位置登録する必要が無い場合には、ＬＴＥ方式の移動通信システム用の位置登録状態Ｌに「Ｕｐｄａｔｅｄ」を設定する。
【００４０】
位置登録状態管理部２２は、通常、ベアラ状態Ｂを変更した場合には（すなわち、上述の通知を受信しない場合には）、ＷＣＤＭＡ方式の移動通信システム用の位置登録状態Ｗ或いはＬＴＥ方式の移動通信システム用の位置登録状態Ｌに「Ｕｐｄａｔｅ  ｎｅｅｄｅｄ」を設定するように構成されている。
【００４１】
しかしながら、位置登録状態管理部２２は、ベアラ状態Ｂを変更した場合であっても、上述の通知を受信した場合には、ＷＣＤＭＡ方式の移動通信システム用の位置登録状態Ｗ或いはＬＴＥ方式の移動通信システム用の位置登録状態Ｌに、ＷＣＤＭＡ方式の交換局ＳＧＳＮ或いはＬＴＥ方式の交換局ＭＭＥに位置登録する必要があると設定しない、すなわち、ＷＣＤＭＡ方式の移動通信システム用の位置登録状態Ｗ或いはＬＴＥ方式の移動通信システム用の位置登録状態Ｌに「Ｕｐｄａｔｅ  ｎｅｅｄｅｄ」を設定しない（すなわち、ＷＣＤＭＡ方式の移動通信システム用の位置登録状態Ｗ或いはＬＴＥ方式の移動通信システム用の位置登録状態Ｌを「Ｕｐｄａｔｅｄ」のままとする）ように構成されている。
【００４２】
ベアラ制御部２３は、当該移動局ＵＥのベアラの起動や修正や削除等の制御を行うように構成されている。
【００４３】
具体的には、ベアラ制御部２３は、当該移動局ＵＥにおいて、ベアラが設定されていない状態で、新たなベアラを設定（起動）するように構成されていてもよいし、既に設定されているベアラを切断（削除）するように構成されていてもよいし、既に設定されているベアラの接続状態を変更（修正）するように構成されている。
【００４４】
位置登録処理部２４は、ＷＣＤＭＡ方式の移動通信システム用の位置登録状態Ｗ或いはＬＴＥ方式の移動通信システム用の位置登録状態Ｌを参照して、ＷＣＤＭＡ方式の交換局ＳＧＳＮ或いはＬＴＥ方式の交換局ＭＭＥに位置登録すべきか否かについて判断するように構成されている。
【００４５】
具体的には、位置登録処理部２４は、移動局ＵＥが、ＷＣＤＭＡ方式の移動通信システム配下のセル（ＲＡ＃１内のセル）或いはＬＴＥ方式の移動通信システム配下のセル（ＴＡ＃１又はＴＡ＃２内のセル）に移動した場合に、ＷＣＤＭＡ方式の移動通信システム用の位置登録状態Ｗ或いはＬＴＥ方式の移動通信システム用の位置登録状態Ｌに「Ｕｐｄａｔｅ  ｎｅｅｄｅｄ」が設定されている場合に、ＷＣＤＭＡ方式の交換局ＳＧＳＮ或いはＬＴＥ方式の交換局ＭＭＥに位置登録する必要があると判断し、ＷＣＤＭＡ方式の移動通信システム用の位置登録状態Ｗ或いはＬＴＥ方式の移動通信システム用の位置登録状態Ｌに「Ｕｐｄａｔｅｄ」が設定されている場合に、ＷＣＤＭＡ方式の交換局ＳＧＳＮ或いはＬＴＥ方式の交換局ＭＭＥに位置登録する必要が無いと判断するように構成されている。
【００４６】
（本発明の第１の実施形態に係る移動通信システムの動作）
図４乃至図６を参照して、本発明の第１の実施形態に係る移動通信システムの動作について説明する。
【００４７】
第１に、図４を参照して、本実施形態に係る移動通信システムにおいて、上述の図１の状態にある移動局ＵＥが、ベアラ状態Ｂを変更する場合の動作について説明する。
【００４８】
図４に示すように、ステップＳ１００１において、移動局ＵＥが、ＷＣＤＭＡ方式の移動通信システム配下のセル（ＲＡ＃１内のセル）において、ベアラの起動や修正や削除を行うと、ステップＳ１００２において、移動局ＵＥ、ゲートウェイ装置Ｓ-ＧＷ及びＷＣＤＭＡ方式の交換局ＳＧＳＮにおけるベアラ状態Ｂが、「＃ａ」から「＃ｂ」に変更される。
【００４９】
ステップＳ１００３において、ＷＣＤＭＡ方式の交換局ＳＧＳＮが、かかるベアラ状態Ｂの変更に応じて、ＬＴＥ方式の交換局ＭＭＥとの間で、当該ベアラ状態Ｂについての同期処理を行うと、ステップＳ１００４において、ＬＴＥ方式の交換局ＭＭＥにおけるベアラ状態Ｂが、「＃ａ」から「＃ｂ」に変更される。
【００５０】
ステップＳ１００５において、ＷＣＤＭＡ方式の交換局ＳＧＳＮが、上述の同期処理が行われた旨を、移動局ＵＥに対して通知する。
【００５１】
移動局ＵＥは、上述の通知を受信したため、ベアラ状態Ｂを変更しているにも関らず、ＬＴＥ方式の移動通信システム用の位置登録状態Ｌを変更しない（すなわち、ＬＴＥ方式の移動通信システム用の位置登録状態Ｌを「Ｕｐｄａｔｅｄ」のままとする）。
【００５２】
第２に、図５を参照して、本実施形態に係るＷＣＤＭＡ方式の交換局ＳＧＳＮ又はＬＴＥ方式の交換局ＭＭＥの動作について説明する。
【００５３】
図５に示すように、ステップＳ１０１において、ＷＣＤＭＡ方式の交換局ＳＧＳＮ又はＬＴＥ方式の交換局ＭＭＥは、ＷＣＤＭＡ方式の移動通信システム配下のセル（ＲＡ＃１内のセル）又はＬＴＥ方式の移動通信システム配下のセル（ＴＡ＃１又はＴＡ＃２内のセル）に在圏する移動局ＵＥのベアラ状態Ｂが変更されたか否かについて判定する。
【００５４】
当該移動局ＵＥのベアラ状態Ｂが変更されたと判定された場合、ステップＳ１０２において、ＷＣＤＭＡ方式の交換局ＳＧＳＮ又はＬＴＥ方式の交換局ＭＭＥは、当該移動局ＵＥにおいて、変更後のベアラの本数が０本になっているか否かについて判定する。
【００５５】
変更後のベアラの本数が０本になっていると判定された場合、本動作は、終了し、変更後のベアラの本数が０本になっていないと判定された場合、本動作は、ステップＳ１０３に進む。
【００５６】
ステップＳ１０３において、ＷＣＤＭＡ方式の交換局ＳＧＳＮ又はＬＴＥ方式の交換局ＭＭＥは、それぞれ、ＬＴＥ方式の交換局ＭＭＥ又はＷＣＤＭＡ方式の交換局ＳＧＳＮとの間で、当該移動局ＵＥのベアラ状態Ｂについての同期処理を行う。
【００５７】
ステップＳ１０４において、ＷＣＤＭＡ方式の交換局ＳＧＳＮ又はＬＴＥ方式の交換局ＭＭＥは、移動局ＵＥに対して、上述の同期処理が行われたことを通知する。
【００５８】
第３に、図６を参照して、本実施形態に係る移動局ＵＥの動作について説明する。
【００５９】
図６に示すように、ステップＳ２０１において、移動局ＵＥは、ＷＣＤＭＡ方式の交換局ＳＧＳＮ及びＬＴＥ方式の交換局ＭＭＥに位置登録している状態で、ＷＣＤＭＡ方式の移動通信システム配下のセル（ＲＡ＃１内のセル）又はＬＴＥ方式の移動通信システム配下のセル（ＴＡ＃１又はＴＡ＃２内のセル）において、ベアラ状態Ｂが変更されたか否かについて判定する。
【００６０】
当該ベアラ状態Ｂが変更されたと判定された場合、ステップＳ２０２において、移動局ＵＥは、ＷＣＤＭＡ方式の交換局ＳＧＳＮ及びＬＴＥ方式の交換局ＭＭＥから、上述の同期処理が行われた旨を示す通知を受信したか否かについて判定する。
【００６１】
かかる通知が受信されたと判定されていない場合、本動作は、ステップＳ２０３に進み、かかる通知が受信されたと判定された場合、本動作は、終了する。
【００６２】
ステップＳ２０３において、移動局ＵＥは、ＷＣＤＭＡ方式の移動通信システム用の位置登録状態Ｗ又はＬＴＥ方式の移動通信システム用の位置登録状態Ｌを「Ｕｐｄａｒｔｅ  ｎｅｅｄｅｄ」に変更する。
【００６３】
（本発明の第１の実施形態に係る移動通信システムの作用・効果）
本発明の第１の実施形態に係る移動通信システムによれば、ＩＳＲが適用されている移動通信システムにおいて、ベアラの起動や修正や削除が行われた場合に、ＷＣＤＭＡ方式の交換局ＳＧＳＮとＬＴＥ方式の交換局ＭＭＥとの間で、ベアラ状態Ｂについての同期処理が行われ、かかる同期処理が行われた場合には、移動局ＵＥは、ＷＣＤＭＡ方式の移動通信システム配下のセル（ＲＡ＃１内のセル）からＬＴＥ方式の移動通信システム配下のセル（ＴＡ＃１又はＴＡ＃２内のセル）に移動した場合であっても、位置登録を行う必要が無いため、不要な位置登録を抑制することができる。
【００６４】
また、ＬＴＥ方式の移動通信システムでは、移動局ＵＥに対して、少なくとも１つのベアラが必ず設定されていなければならないため、ＷＣＤＭＡ方式の移動通信システム配下のセルに在圏している移動局ＵＥのベアラの本数が０本になってしまった場合には、ＷＣＤＭＡ方式の交換局ＳＧＳＮとＬＴＥ方式の交換局ＭＭＥとの間で、上述のベアラ状態Ｂについての同期処理を行うと、当該移動局ＵＥはデタッチ状態となってしまう。
【００６５】
したがって、本発明の第１の実施形態に係る移動通信システムでは、ＷＣＤＭＡ方式の移動通信システム配下のセルに在圏している移動局ＵＥのベアラの本数が０本になってしまった場合には、上述のベアラ状態Ｂについての同期処理を行わないようにすることで、移動局ＵＥがデタッチ状態になってしまうという不具合を解消することができる。
【００６６】
以上に述べた本実施形態の特徴は、以下のように表現されていてもよい。
【００６７】
本実施形態の第１の特徴は、移動通信方法であって、移動局ＵＥが、ＷＣＤＭＡ方式（第１通信方式）の交換局ＳＧＳＮ及びＬＴＥ方式（第２通信方式）の交換局ＭＭＥに位置登録している状態で、ＷＣＤＭＡ方式の移動通信システム配下のセル（ＲＡ＃１内のセル）において、ベアラ状態Ｂを変更した場合に、ＷＣＤＭＡ方式の交換局ＳＧＳＮとＬＴＥ方式の交換局ＭＭＥとの間で、移動局ＵＥのベアラ状態Ｂについて同期処理を行う工程Ａと、ＷＣＤＭＡ方式の交換局ＳＧＳＮが、移動局ＵＥに対して、かかる同期処理を行った旨を通知する工程Ｂとを有し、移動局ＵＥは、ベアラ状態Ｂを変更した場合であっても、かかる通知を受信した場合には、ＷＣＤＭＡ方式の移動通信システム配下のセル（ＲＡ＃１内のセル）からＬＴＥ方式の移動通信システム配下のセル（ＴＡ＃１又はＴＡ＃２内のセル）に移動した際に、ＬＴＥ方式の交換局ＭＭＥに位置登録しないことを要旨とする。
【００６８】
或いは、本実施形態の第１の特徴は、移動通信方法であって、移動局ＵＥが、ＬＴＥ方式（第１通信方式）の交換局ＭＭＥ及びＷＣＤＭＡ方式（第１通信方式）の交換局ＳＧＳＮに位置登録している状態で、ＬＴＥ方式の移動通信システム配下のセル（ＴＡ＃１又はＴＡ＃２内のセル）において、ベアラ状態Ｂを変更した場合に、ＬＴＥ方式の交換局ＭＭＥとＷＣＤＭＡ方式の交換局ＳＧＳＮとの間で、移動局ＵＥのベアラ状態Ｂについて同期処理を行う工程Ａと、ＬＴＥ方式の交換局ＭＭＥが、移動局ＵＥに対して、かかる同期処理を行った旨を通知する工程Ｂとを有し、移動局ＵＥは、ベアラ状態Ｂを変更した場合であっても、かかる通知を受信した場合には、ＬＴＥ方式の移動通信システム配下のセル（ＴＡ＃１又はＴＡ＃２内のセル）からＷＣＤＭＡ方式の移動通信システム配下のセル（ＲＡ＃１内のセル）に移動した際に、ＷＣＤＭＡ方式の交換局ＳＧＳＮに位置登録しないことを要旨とする。
【００６９】
本実施形態の第１の特徴において、移動局ＵＥが、ＬＴＥ方式の交換局ＭＭＥに位置登録する必要の有無を示す位置登録状態Ｌを管理する工程と、移動局ＵＥが、ＬＴＥ方式の移動通信システム配下のセル（ＴＡ＃１又はＴＡ＃２内のセル）に移動した際に、位置登録状態Ｌに応じて、ＬＴＥ方式の交換局ＭＭＥに位置登録すべきであるか否かについて判断する工程とを更に有し、移動局ＵＥが、ベアラ状態Ｂを変更した場合であっても、上述の通知を受信した場合には、位置登録状態Ｌに、ＬＴＥ方式の交換局ＭＭＥに位置登録する必要があることを示す「Ｕｐａｄａｔｅ  ｎｅｅｄｅｄ」を設定しなくてもよい。
【００７０】
或いは、本実施形態の第１の特徴において、移動局ＵＥが、ＷＣＤＭＡ方式の交換局ＳＧＳＮに位置登録する必要の有無を示す位置登録状態Ｗを管理する工程と、移動局ＵＥが、ＷＣＤＭＡ方式の移動通信システム配下のセル（ＲＡ＃１内のセル）に移動した際に、位置登録状態Ｗに応じて、ＷＣＤＭＡ方式の交換局ＳＧＳＮに位置登録すべきであるか否かについて判断する工程とを更に有し、移動局ＵＥが、ベアラ状態Ｂを変更した場合であっても、上述の通知を受信した場合には、位置登録状態Ｗに、ＷＣＤＭＡ方式の交換局ＳＧＳＮに位置登録する必要があることを示す「Ｕｐａｄａｔｅ  ｎｅｅｄｅｄ」を設定しなくてもよい。
【００７１】
本実施形態の第１の特徴において、工程Ａにおいて、移動局ＵＥが、ベアラ状態Ｂを変更して、ベアラの本数が０本になった場合には、上述の同期処理が行われなくてもよい。
【００７２】
本実施形態の第２の特徴は、ＷＣＤＭＡ方式の交換局ＳＧＳＮであって、移動局ＵＥが、ＷＣＤＭＡ方式の交換局ＳＧＳＮ及びＬＴＥ方式の交換局ＭＭＥに位置登録している状態で、ＷＣＤＭＡ方式の移動通信システム配下のセル（ＲＡ＃１内のセル）において、ベアラ状態Ｂを変更した場合に、ＬＴＥ方式の交換局ＭＭＥとの間で、移動局ＵＥのベアラ状態Ｂについて同期処理を行うように構成されている同期処理部１３と、移動局ＵＥに対して、かかる同期処理を行った旨を通知するように構成されている通知部１４とを具備することを要旨とする。
【００７３】
或いは、本実施形態の第２の特徴は、ＬＴＥ方式の交換局ＭＭＥであって、移動局ＵＥが、ＷＣＤＭＡ方式の交換局ＳＧＳＮ及びＬＴＥ方式の交換局ＭＭＥに位置登録している状態で、ＬＴＥ方式の移動通信システム配下のセル（ＴＡ＃１又はＴＡ＃２内のセル）において、ベアラ状態Ｂを変更した場合に、ＷＣＤＭＡ方式の交換局ＳＧＳＮとの間で、移動局ＵＥのベアラ状態Ｂについて同期処理を行うように構成されている同期処理部１３と、移動局ＵＥに対して、かかる同期処理を行った旨を通知するように構成されている通知部１４とを具備することを要旨とする。
【００７４】
本実施形態の第２の特徴において、同期処理部１３は、移動局ＵＥが、ベアラ状態Ｂを変更して、ベアラの本数が０本になった場合には、上述の同期処理を行わないように構成されていてもよい。
【００７５】
本実施形態の第３の特徴は、移動局ＵＥであって、ＷＣＤＭＡ方式の交換局ＳＧＳＮ及びＬＴＥ方式の交換局ＭＭＥに位置登録している状態で、ＷＣＤＭＡ方式の移動通信システム配下のセル（ＲＡ＃１内のセル）において、ベアラ状態Ｂを変更した場合であっても、ＷＣＤＭＡ方式の交換局ＳＧＳＮから、ＬＴＥ方式の交換局ＭＭＥとの間でベアラ状態Ｂについて同期処理が行われた旨を示す通知を受信した場合には、ＷＣＤＭＡ方式の移動通信システム配下のセル（ＲＡ＃１内のセル）からＬＴＥ方式の移動通信システム配下のセル（ＴＡ＃１又はＴＡ＃２内のセル）に移動した際に、ＬＴＥ方式の交換局ＭＭＥに位置登録しないように構成されている位置登録処理部２４を具備することを要旨とする。
【００７６】
或いは、本実施形態の第３の特徴は、移動局ＵＥであって、ＷＣＤＭＡ方式の交換局ＳＧＳＮ及びＬＴＥ方式の交換局ＭＭＥに位置登録している状態で、ＬＴＥ方式の移動通信システム配下のセル（ＴＡ＃１又はＴＡ＃２内のセル）において、ベアラ状態Ｂを変更した場合であっても、ＬＴＥ方式の交換局ＭＭＥから、ＷＣＤＭＡ方式の交換局ＳＧＳＮとの間でベアラ状態Ｂについて同期処理が行われた旨を示す通知を受信した場合には、ＬＴＥ方式の移動通信システム配下のセル（ＴＡ＃１又はＴＡ＃２内のセル）からＷＣＤＭＡ方式の移動通信システム配下のセル（ＲＡ＃１内のセル）に移動した際に、ＷＣＤＭＡ方式の交換局ＳＧＳＮに位置登録しないように構成されている位置登録処理部２４を具備することを要旨とする。
【００７７】
本実施形態の第３の特徴において、ＬＴＥ方式の交換局ＭＭＥに位置登録する必要の有無を示す位置登録状態Ｌを管理するように構成されている位置登録状態管理部２２を更に具備し、位置登録処理部２４は、ＬＴＥ方式の移動通信システム配下のセル（ＴＡ＃１又はＴＡ＃２内のセル）に移動した際に、位置登録状態Ｌに応じて、ＬＴＥ方式の交換局ＭＭＥに位置登録すべきであるか否かについて判断するように構成されており、位置登録状態管理部２２は、ベアラ状態Ｂを変更した場合であっても、上述の通知を受信した場合には、位置登録状態Ｌに、ＬＴＥ方式の交換局ＭＭＥに位置登録する必要があると設定しないように構成されていることを要旨とする。
【００７８】
或いは、本実施形態の第３の特徴において、ＷＣＤＭＡ方式の交換局ＳＧＳＮに位置登録する必要の有無を示す位置登録状態Ｗを管理するように構成されている位置登録状態管理部２２を更に具備し、位置登録処理部２４は、ＷＣＤＭＡ方式の移動通信システム配下のセル（ＲＡ＃１内のセル）に移動した際に、位置登録状態Ｗに応じて、ＷＣＤＭＡ方式の交換局ＳＧＳＮに位置登録すべきであるか否かについて判断するように構成されており、位置登録状態管理部２２は、ベアラ状態Ｂを変更した場合であっても、上述の通知を受信した場合には、位置登録状態Ｌに、ＷＣＤＭＡ方式の交換局ＳＧＳＮに位置登録する必要があると設定しないように構成されていることを要旨とする。
【００７９】
なお、上述の移動局ＵＥや交換局ＭＭＥ/ＳＧＳＮの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや交換局ＭＭＥ/ＳＧＳＮ内に設けられていてもよい。また、かかる記憶媒体及びプロセッサは、ディスクリートコンポーネントとして移動局ＵＥや交換局ＭＭＥ/ＳＧＳＮ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８３】
【図１】本発明の第１の実施形態に係る移動通信システムの全体構成図である。
【図２】本発明の第１の実施形態に係る交換局の機能ブロック図である。
【図３】本発明の第１の実施形態に係る移動局の機能ブロック図である。
【図４】本発明の第１の実施形態に係る移動通信システムの動作を説明するための図である。
【図５】本発明の第１の実施形態に係る交換局の動作を示すフローチャートである。
【図６】本発明の第１の実施形態に係る移動局の動作を示すフローチャートである。
【図７】従来の移動通信システムの動作を説明するための図である。
【図８】従来の移動通信システムの動作を説明するための図である。
【図９】従来の移動通信システムの動作を説明するための図である。
【符号の説明】
【００８４】
ＭＭＥ/ＳＧＳＮ…交換局
１１、２３…ベアラ制御部
１２、２１…ベアラ状態管理部
１３…同期処理部
１４…通知部
ＵＥ…移動局
２２…位置登録状態管理部
２４…位置登録処理部
【図１】
2010045551.tif 000003
【図２】
2010045551.tif 000004
【図３】
2010045551.tif 000005
【図４】
2010045551.tif 000006
【図５】
2010045551.tif 000007
【図６】
2010045551.tif 000008
【図７】
2010045551.tif 000009
【図８】
2010045551.tif 000010
【図９】
2010045551.tif 000011